(57)【要約】【課題】清掃が容易で衛生的に優れた男性用尿器を提供する。【解決手段】横方向に伸びた横タンク２と、この横タンク２に垂直に一体に設けられた尿取り入れパイプ３とからなっている。尿取り入れパイプ３の軸心３ａは横タンク２の軸心２ａより一方側にずれて設けられている。横タンク２の少なくとも一方端を開放部に形成し、この開放部にはキャップ６が着脱自在に設けられている。【選択図】      図２
2006212049.tif 000002
【特許請求の範囲】
【請求項１】
横方向に伸びた横タンクと、この横タンクに垂直に一体に設けられた尿取り入れパイプとからなり、前記尿取り入れパイプの軸心は前記横タンクの軸心より一方側にずれて設けられた男性用尿器において、前記横タンクの少なくとも一方端を開放部に形成し、この開放部にキャップを着脱自在に設けたことを特徴とする男性用尿器。
【請求項２】
前記横タンクには、前記尿取り入れパイプの軸心側の側面にストッパー部材が設けられていることを特徴とする請求項１記載の男性用尿器。
【請求項３】
前記横タンク及び前記尿取り入れパイプは、透明体よりなることを特徴とする請求項１又は２記載の男性用尿器。
【発明の詳細な説明】
【技術分野】
【０００１】
本発明は、男性用尿器に関する。
【背景技術】
【０００２】
看護人の手助けなしに使用でき、利便性に優れた男性用尿器として、例えば特許文献１が挙げられる。この構造は、横方向に伸びた横タンクと、この横タンクの側面に一体に設けられた錘部と、前記横タンクに垂直に一体に設けられた尿取り入れパイプとからなっている。また尿取り入れパイプの軸心は、横タンクの軸心より前記錘部と反対側にずれて設けられている。
【特許文献１】特開２００１−２８６５１４号公報
【発明の開示】
【発明が解決しようとする課題】
【０００３】
上記従来技術は、横タンクの両側面は完全に密閉した構造よりなるので、横タンクの清掃ができなく衛生面で問題があった。また尿取り入れパイプの軸心は、横タンクの軸心とずれて設けられている。このため、尿取り入れパイプを垂直に置いた時は、該尿取り入れパイプ側に倒れようとする。この倒れを防止するために尿取り入れパイプの軸心と反対側の横タンクの側面に錘部を設けているので、錘部は非常に重くする必要があり、男性用尿器自体が重くなるという問題があった。
【０００４】
本発明の第１の課題は、清掃が容易で衛生的に優れた男性用尿器を提供することにある。
【０００５】
本発明の第２の課題は、軽量化が図れる男性用尿器を提供することにある。
【課題を解決するための手段】
【０００６】
上記第１の課題を解決するための本発明の請求項１は、横方向に伸びた横タンクと、この横タンクに垂直に一体に設けられた尿取り入れパイプとからなり、前記尿取り入れパイプの軸心は前記横タンクの軸心より一方側にずれて設けられた男性用尿器において、前記横タンクの少なくとも一方端を開放部に形成し、この開放部にキャップを着脱自在に設けたことを特徴とする。
【０００７】
上記第１及び第２の課題を解決するための本発明の請求項２は、上記請求項１において、前記横タンクには、前記尿取り入れパイプの軸心側の側面にストッパー部材が設けられていることを特徴とする。
【発明の効果】
【０００８】
請求項１は、横タンクの少なくとも一方端を開放部に形成し、この開放部にキャップを着脱自在に設けているので、キャップを取り外すことにより横タンク内を容易に清掃でき、衛生的に優れたものとなる。
請求項２は、尿取り入れパイプをほぼ垂直にして男性用尿器を置いた場合、男性用尿器は尿取り入れパイプ側に倒れようとするが、ストッパー部材がストッパーとなって男性用尿器の倒れが防止される。即ち、従来のような重い錘部を設ける必要がないので、軽量化が図れる。
請求項３は、横タンク及び尿取り入れパイプを透明体とすることにより外部より横タンク及び尿取り入れパイプの内部の状態を見ることができ、こと点からも衛生面で優れたものとなる。
【発明を実施するための最良の形態】
【０００９】
本発明の一実施の形態を図１乃至図４により説明する。図１乃至図３に示すように、男性用尿器１は、横方向に伸びた筒型の横タンク２と、この横タンク２に垂直に一体に設けられた尿取り入れパイプ３とからなっている。ここで、尿取り入れパイプ３の軸心３ａは、横タンク２の軸心２ａよりずれて設けられている。また尿取り入れパイプ３の上端部にはキャップ４が取付けられるねじ部３ｂが形成されている。このような構成よりなる男性用尿器１は、塩化ビニールより形成されてる。キャップ４には、尿取り入れパイプ３のねじ部３ｂに螺合されるねじ部４ｂが形成され、また尿取り入れパイプ３の上端に対応した部分にゴムパッキン５が装着されている。以上は従来技術と同じ構造となっている。
【００１０】
本実施の形態は、横タンク２の一方端は開放しており、この開放部にキャップ６が取付けられるねじ部２ｂが形成されている。キャップ６には、横タンク２のねじ部２ｂに螺合されるねじ部６ａが形成され、また横タンク２の開放部の端面に対応した部分にゴムパッキン７が装着されている。また少なくとも横タンク２及び尿取り入れパイプ３は透明体よりなっている。
【００１１】
横タンク２の側面には、尿取り入れパイプ３の軸心３ａ側にリング状よりなるストッパー部材８が設けられている。また尿取り入れパイプ３には、ストッパー部材８と同じ側に取っ手９が設けられている。
【００１２】
そこで使用時は、キャップ４を外し、図４に示すように、尿取り入れパイプ３を約３３〜３７度傾け、尿取り入れパイプ３に矢印Ｂ方向より性器を挿入して排尿する。この場合、特別に看護人を煩わせることなく男性用尿器１を布団の上に置いたまま使用者自身が排尿に適した角度に男性用尿器１を傾けて使用でき、非常に利便性に優れている。
【００１３】
本実施の形態は、横タンク２の一方端を開放部に形成し、この開放部にキャップ６を着脱自在に設けているので、キャップ６を取り外すことにより横タンク２内を容易に清掃でき、衛生的に優れたものとなる。また横タンク２及び尿取り入れパイプ３を透明体とすることにより外部より横タンク２及び尿取り入れパイプ３の内部の状態を見ることができ、こと点からも衛生面で優れたものとなる。
【００１４】
また尿取り入れパイプ３をほぼ垂直にして男性用尿器１を置いた場合、男性用尿器１は尿取り入れパイプ３側（図２及び図４において右側）に倒れようとするが、ストッパー部材８がストッパーとなって男性用尿器１の倒れが防止される。即ち、従来のような重い錘部を設ける必要がないので、軽量化が図れる。
【００１５】
なお、上記実施の形態においては、横タンク２の一方端を開放部とし、この部分にキャップ６を着脱自在に設けたが、横タンク２の両方端を開放部とし、この両方端にそれぞれキャップ６を着脱自在に設けてもよい。
【図面の簡単な説明】
【００１６】
【図１】本発明の男性用尿器の一実施の形態を示し、（ａ）は正面図、（ｂ）は平面図である。
【図２】図１の右側面図である。
【図３】図１（ｂ）のＡ−Ａ線断面図である。
【図４】使用状態を示す説明図である。
【符号の説明】
【００１７】
１    男性用尿器
２    横タンク
２ａ    軸心
３    尿取り入れパイプ
３ａ    軸心
４、６    キャップ
８    ストッパー部材
９    取っ手
【図１】
2006212049.tif 000003
【図２】
2006212049.tif 000004
【図３】
2006212049.tif 000005
【図４】
2006212049.tif 000006